(57)【特許請求の範囲】
【請求項１】
遊技盤に配置された図柄表示装置と、前記図柄表示装置を取り囲むように配置された表示枠体と、を備えた遊技機において、
前記表示枠体は、装飾部材を装着可能な装着部を有し、
前記装飾部材は、前記装着部に装着される第１装飾部と、前記第１装飾部の遊技者側を向いた面に重ねて装着され、前記表示枠体の内側に突出して先細りになった尖り部を有する第２装飾部と、で構成され、
前記第１装飾部には、前記第２装飾部が前記第１装飾部に装着されたときに、前記尖り部に沿って延びて、外縁部が前記尖り部を視認可能に縁取るように配置される尖り緩和部が設けられると共に、前記尖り緩和部の先端の尖り度合いを、前記尖り部の尖り度合いよりも軽減したことを特徴とする遊技機。
【請求項２】
前記尖り部と前記尖り緩和部との間で、色を異ならせたことを特徴とする請求項１に記載の遊技機。
【請求項３】
前記尖り部を非透光性とする一方、前記尖り緩和部を透光性としたことを特徴とする請求項１又は２に記載の遊技機。
【請求項４】
前記尖り緩和部の先端を丸めたことを特徴とする請求項１乃至３のうち何れか１の請求項に記載の遊技機。
【請求項５】
前記尖り緩和部の外縁部を前記遊技者側に突出させて、前記尖り部の先方を覆ったことを特徴とする請求項１乃至４のうち何れか１の請求項に記載の遊技機。
【請求項６】
前記尖り部と重ね合わさる前記尖り緩和部の面を、先端に向かうに従って前記遊技者から離れるように傾斜させたことを特徴とする請求項１乃至５のうち何れか１の請求項に記載の遊技機。
【発明の詳細な説明】
【技術分野】
【０００１】
本発明は、図柄表示装置を取り囲むように配置された表示枠体に装飾部材を装着可能な遊技機に関する。
【背景技術】
【０００２】
従来、この種の遊技機として、意匠性の観点から、装飾部材に、表示枠体の内側に突出して先細りになった尖り部を備えたものが知られている（例えば、特許文献１参照）。
【先行技術文献】
【特許文献】
【０００３】
【特許文献１】特開第２００８−５３１号公報（段落［００１１］〜［００１３］、図３）
【発明の概要】
【発明が解決しようとする課題】
【０００４】
しかしながら、上述した従来の遊技機では、表示枠体の交換やメンテナンスの際に作業者が表示枠体の枠部分を掴むと、尖り部に接触して怪我をすることがあった。
【０００５】
本発明は、上記事情に鑑みてなされたもので、尖り部の意匠性を保ちつつ、尖り部による作業者の怪我を抑えることが可能な遊技機の提供を目的とする。
【課題を解決するための手段】
【０００６】
上記目的を達成するためになされた請求項１の発明に係る遊技機は、遊技盤に配置された図柄表示装置と、図柄表示装置を取り囲むように配置された表示枠体と、を備えた遊技機において、表示枠体は、装飾部材を装着可能な装着部を有し、装飾部材は、装着部に装着される第１装飾部と、第１装飾部の遊技者側を向いた面に重ねて装着され、表示枠体の内側に突出して先細りになった尖り部を有する第２装飾部と、で構成され、第１装飾部には、第２装飾部が第１装飾部に装着されたときに、尖り部に沿って延び、外縁部が尖り部を視認可能に縁取るように配置される尖り緩和部が設けられると共に、尖り緩和部の先端の尖り度合いを、尖り部の尖り度合いよりも軽減したところに特徴を有する。
【０００７】
請求項２の発明は、請求項１に記載の遊技機において、尖り部と尖り緩和部との間で、色を異ならせたところに特徴を有する。
【０００８】
請求項３の発明は、請求項１又は２に記載の遊技機において、尖り部を非透光性とする一方、尖り緩和部を透光性としたところに特徴を有する。
【０００９】
請求項４の発明は、請求項１乃至３のうち何れか１の請求項に記載の遊技機において、尖り緩和部の先端を丸めたところに特徴を有する。
【００１０】
請求項５の発明は、請求項１乃至４のうち何れか１の請求項に記載の遊技機において、尖り緩和部の外縁部を遊技者側に突出させて、尖り部の先方を覆ったところに特徴を有する。
【００１１】
請求項６の発明は、請求項１乃至５のうち何れか１の請求項に記載の遊技機において、尖り部と重ね合わさる尖り緩和部の面を、先端に向かうに従って遊技者から離れるように傾斜させたところに特徴を有する。
【発明の効果】
【００１２】
［請求項１の発明］
請求項１の発明では、第１装飾部の尖り緩和部の外縁部が尖り部を縁取っているので、作業者が表示枠体の枠部分を掴んだとき、尖り部よりも先に尖り緩和部と接触する。そして、尖り緩和部の先端の尖り度合いは、尖り部の尖り度合いよりも軽減されているので、従来よりも作業者の怪我を抑えることが可能となる。また、尖り緩和部は、尖り部に沿って延びて、外縁部が尖り部を視認可能に縁取るように配置されるので、尖り緩和部によって尖り部の意匠性が損なわれることが抑えられる。これにより、尖り部の意匠性を保ちつつ、尖り部による作業者の怪我を抑えることが可能となる。
【００１３】
［請求項２の発明］
請求項２の発明によれば、尖り部と尖り緩和部との間で色を異ならせたので、尖り部と尖り緩和部との区別が容易となり、尖り部を際立たせることが可能となる。
【００１４】
［請求項３の発明］
請求項３の発明では、遊技者は、尖り部の後側を透かして見ることはできないが、尖り緩和部の後側を透かして見ることができる。これにより、尖り部よりも尖り緩和部を目立たなくすることができる。即ち、尖り部を際立たせることが可能となる。
【００１５】
［請求項４の発明］
請求項４の発明によれば、尖り緩和部の先端が丸められているので、作業者の怪我を一層抑えることが可能となる。
【００１６】
［請求項５の発明］
請求項５の発明によれば、尖り部の先方が尖り緩和部にて覆われるので、尖り部との接触による作業者の怪我を一層抑えることが可能となる。
【００１７】
［請求項６の発明］
請求項６の発明によれば、尖り部を先端に向かうに従って遊技者から遠ざけることが可能となり、尖り部の先端を細く見せて、尖り度合いを大きく見せることが可能となる。
【図面の簡単な説明】
【００１８】
【図１】パチンコ遊技機の正面図
【図２】遊技盤の正面図
【図３】表示装飾枠の正面図
【図４】表示枠体及び装飾部材の斜視図
【図５】表示枠体及び装飾部材の正面図
【図６】表示枠体の正面図
【図７】（Ａ）装飾部材の正面図、（Ｂ）装飾部材の側面図
【図８】第１装飾部及び第２装飾部の前方斜視図
【図９】第１装飾部及び第２装飾部の後方斜視図
【図１０】（Ａ）第２装飾部の正面図、（Ｂ）第２装飾部の側面図
【図１１】第２装飾部の斜視図
【図１２】（Ａ）第１装飾部の正面図、（Ｂ）第１装飾部の側面図
【図１３】第１装飾部の斜視図
【図１４】尖り部周辺の拡大正面図
【図１５】表示装飾枠の一部拡大正面図
【発明を実施するための形態】
【００１９】
以下、本発明をパチンコ遊技機に適用した一実施形態を、図１〜図１５を用いて説明する。本実施形態に係るパチンコ遊技機１０は、図１に示されており、パチンコ遊技機１０の遊技盤１１の前面には、ガイドレール１２で囲まれたほぼ円形の遊技領域Ｒ１が形成されている。
【００２０】
遊技盤１１の前面は、パチンコ遊技機１０の前面に開閉可能に取り付けられた前面枠１０Ｚにて覆われ、その前面枠１０Ｚに形成されたガラス窓１０Ｗを通して遊技領域Ｒ１の全体が視認可能となっている。ガラス窓１０Ｗの周囲には、装飾ランプ３５が設けられている。また、前面枠１０Ｚのうちガラス窓１０Ｗより上側の両角位置には、それぞれスピーカー２５，２５が設けられている。前面枠１０Ｚのうちガラス窓１０Ｗより下方には、上皿２６及び下皿２７が上下２段にして設けられ、下皿２７の右側方には操作ノブ２８が設けられている。そして、操作ノブ２８を回動操作すると、上皿２６に収容された遊技球が遊技領域Ｒ１に向けて弾き出される。なお、上皿２６に備えたボタン（図示せず）を押すと上皿２６に収容されている遊技球が下皿２７へと移動する。
【００２１】
図２に示すように、遊技盤１１は、遊技領域Ｒ１の中央に表示窓１１Ｈを有し、その表示窓１１Ｈの内側に図柄表示装置３０を備えている。図柄表示装置３０は、液晶モジュール（例えば、ＴＦＴ−ＬＣＤモジュール）で構成され、その表示画面３０Ｇが遊技者に視認可能となっている。
【００２２】
また、遊技盤１１には、表示画面３０Ｇを取り囲むように表示装飾枠２３が設けられている。表示装飾枠２３は、遊技盤１１の前面側から表示窓１１Ｈに嵌め込まれ、表示窓１１Ｈの内側に張り出すと共に、前方に突出している。そして、遊技領域Ｒ１を流下する遊技球が、表示装飾枠２３の内側に進入しないように構成されている。
【００２３】
遊技領域Ｒ１のうち表示装飾枠２３の下方における中央部には、第１の始動入賞口１４Ａ、大入賞口１５及びアウト口１６が、上から順に間隔を開けて並べて設けられている。大入賞口１５の左側には、複数の一般入賞口２０が設けられている。また、表示装飾枠２３の左側には風車１９が設けられ、表示装飾枠２３の右側には、始動ゲート１８と第２の始動入賞口１４Ｂが上下に並べて設けられている。また、遊技領域Ｒ１には多数の障害釘が植設されている。
【００２４】
一般入賞口２０は、所謂、ポケット構造をなし、遊技球が１つずつ入ることが可能な大きさで上方に開口している。一般入賞口２０へ入球すると、その遊技球は遊技盤１１の裏側に取り込まれ、代わりに所定数の賞球が上皿２６に払い出される。
【００２５】
第１の始動入賞口１４Ａは、一般入賞口２０と同様に、ポケット構造をなしている。また、第２の始動入賞口１４Ｂは、遊技盤１１の前面で開口し、通常は、開閉扉１４Ｃにて閉塞されている。そして、開閉扉１４Ｃが下端部を中心に前倒しにされると、その開閉扉１４Ｃを案内にして遊技球が第２の始動入賞口１４Ｂに入球可能となる。
【００２６】
第１と第２の始動入賞口１４Ａ，１４Ｂに遊技球が入球すると、例えば、１個の入賞につき４個の遊技球が上皿２６に払い出されると共に当否判定が行われる。その判定結果は、図柄表示装置３０の表示画面３０Ｇにて変動表示され、表示画面３０Ｇに当たりの結果が表示されると、遊技が大当たり状態となる。なお、表示画面３０Ｇの変動表示中に各入賞口１４Ａ，１４Ｂに入球した場合、その入球は最大で４個まで保留記憶される。そして、表示画面３０Ｇの変動表示が終了すると、その保留記憶に基づいて再び表示画面３０Ｇが変動表示される。
【００２７】
始動ゲート１８は、遊技球が潜って通過可能な門形構造をなしている。始動ゲート１８を遊技球が通過すると当否判定が行われる。その当否判定の結果は、遊技領域Ｒ１の外側の図示しない普通図柄表示部にて変動表示される。そして、普通図柄表示部に当たりの結果が表示されると、開閉扉１４Ｃが所定期間に亘って開き、第２の始動入賞口１４Ｂへの入球が可能となる。なお、上述した図柄表示装置３０と同様に、普通図柄表示部の変動表示中に始動ゲート１８を遊技球が通過した場合、その通過球は最大で４個まで保留記憶される。
【００２８】
大入賞口１５は横長矩形状をなし、通常の遊技状態では、可動扉１５Ｔにて閉塞されている。そして、遊技が「大当たり状態」になると、図１に示すように、可動扉１５Ｔが所定期間に亘って前側に倒される。すると、大入賞口１５が前方に開放し、可動扉１５Ｔを案内にして大入賞口１５に多くの遊技球が入賞可能となる。大入賞口１５に遊技球が入賞すると、例えば、１個の入賞につき１５個の遊技球が上皿２６に払い出される。
【００２９】
上述した各入賞口１４Ａ，１４Ｂ，１５，２０の何れにも入賞しなかった遊技球は、遊技領域Ｒ１の下端に配置されたアウト口１６に全て取り込まれる。
【００３０】
ところで、上述した表示装飾枠２３は、図３及び図４に示すように、遊技盤１１の表示窓１１Ｈに嵌め込まれる表示枠体４０に、複数の装飾部材４２が装着された構造になっている。具体的には、図４及び図６に示すように、表示枠体４０は、内側に張り出した突片４１Ｔを複数備え、それら突辺４１Ｔに複数の装着孔４１（本発明の「装着部」に相当する。）が形成されている。そして、表示枠体４０が、装着孔４１を挿通した螺子（図示せず）にて複数の装飾部材４２と螺合結合することで、図柄表示装置３０で行われる表示演出に対応したデザイン形状に装飾された表示装飾枠２３が形成される。なお、表示枠体４０の右側辺、上辺及び左側辺に装着される装飾部材４２Ａ〜４２Ｄは、前方から見た形状が円弧状をなし、演出役物３８（図２参照）を取り囲むように配置される。また、表示枠体４０の下辺に装着される装飾部材４２Ｅにより、表示装飾枠２３は、遊技球が左右に転動可能なステージ２４を備えている（図３参照）。
【００３１】
ここで、本実施形態のパチンコ遊技機１０では、意匠性の観点から、複数の装飾部材４２のうちの一の装飾部材４２Ａに、表示枠体４０の内側に突出して先細りになった尖り部５０を備えている。以下、この装飾部材４２Ａについて詳説する。
【００３２】
図５に示すように、装飾部材４２Ａは、前方から見た形状が逆Ｃ字形をなし、そのＣ字の中間部が、表示枠体４０の右側辺部から内側に張り出した突片４１Ｔの前面に重ねて装着される。そして、装飾部材４２ＡのＣ字の両端部が、表示枠体４０の内側に向かって突出し、表示装飾枠２３の内縁部を構成する。
【００３３】
図８に示すように、装飾部材４２Ａは、第１装飾部４３と第２装飾部４４とで構成されている。図７（Ａ）及び図７（Ｂ）に示すように、第１装飾部４３及び第２装飾部４４は共に、前方から見た形状が逆Ｃ字形をなし、第１装飾部４３の前面に第２装飾部４４が重ねて固定されている。そして、第２装飾部４４に上述の尖り部５０が備えられている。
【００３４】
図１０（Ａ）に示すように、第２装飾部４４は、円弧状の中間円弧部５５がその円弧の周方向で尖り部５０，５０に挟まれた構造になっていて、中間円弧部５５には、意匠性の観点から、以下のような装飾が施されている。即ち、中間円弧部５５の内側部分には、円弧の中心に向かって突出した複数の装飾突起５６が設けられている。また、中間円弧部５５の外縁部からは複数の装飾突片５７が張り出している。
【００３５】
尖り部５０は、中間円弧部５５の円弧の延長線に沿って延び、前方から見たときの形状が、先端に向かう従って幅狭になった先細り形状をなしている。図１０（Ｂ）に示すように、尖り部５０の先端部は、先端に向かうに従って後側、即ち、遊技者から離れる側を向くように湾曲している。また、尖り部５０の後側（裏側）には、尖り部５０の突出方向に沿って複数の位置決め突部５２が設けられている。位置決め突部５２には、大径突部５２Ａと小径突部５２Ｂの２種類があり、大径突部５２Ａの中心部には、螺子孔５２Ｎが形成されている（図９参照）。なお、位置決め突部５２は、中間円弧部５５にも複数設けられている。
【００３６】
また、図１１に示すように、尖り部５０の前面には、尖り部５０の突出方向に沿って延びた線状溝５１が複数形成され、隣り合う線状溝５１，５１同士の間隔は、尖り部５０の先端に向かうに従って狭くなっている。これにより、遊技者に、尖り部５０が実際の尖り度合いよりも鋭く尖っているように見せることが可能となる。
【００３７】
図９に示すように、第１装飾部４３は、Ｃ字の中間部の後側（裏側）に、螺子孔６５Ｎを中心部に有した装着用突部６５を複数備えている。それら複数の装着用突部６５は、表示枠体４０の突片４１Ｔの装着孔４１（図４参照）に嵌合される。そして、上述したように、表示枠体４０の後側から装着孔４１を挿通した螺子（図示せず）が螺子孔６５Ｎと螺合することで、表示枠体４０に第１装飾部４３（装飾部材４２Ａ）が装着される。
【００３８】
図８及び図１２（Ａ）に示すように、第１装飾部４３の前面のうち第２装飾部４４の位置決め突部５２と対向する部分には、位置決め突部５２と嵌合可能な位置決め孔６２が設けられている。そして、図９に示すように、第２装飾部４４を第１装飾部４３に前側から重ね、位置決め突部５２を位置決め孔６２に嵌合して第２装飾部４４を位置決めした状態で、第１装飾部４４の後側（裏側）から位置決め孔６２を挿通した螺子（図示せず）を螺子孔５２Ｎに螺合することで、第２装飾部４４が第１装飾部４３に装着される。
【００３９】
このように、第２装飾部４４は、位置決め突部５２と位置決め孔６２とによって、第１装飾部４３に対して位置決めされているため、尖り部５０が次述する尖り緩和部６０からずれることが抑えられ、作業者が尖り緩和部６０より先に尖り部５０と接触することが抑えられる。また、位置決め突部５２（大径突部５２Ａ）と位置決め孔６２とは、第１装飾部４３と第２装飾部４４の螺合結合に兼用されている。
【００４０】
さて、本実施形態では、第１装飾部４３のうち第２装飾部４４の尖り部５０に重ねられる部分、即ち、第１装飾部４３のＣ字の両端部が、本発明に係る尖り緩和部６０になっている。図１０（Ａ）に示すように、尖り緩和部６０は、第２装飾部４４が第１装飾部４３に装着された状態で、尖り部５０に沿って円弧状に延び、遊技者側から見たときに、尖り緩和部６０の外縁部が尖り部５０を視認可能に縁取るように配置される。
【００４１】
ここで、尖り緩和部６０と尖り部５０とには、異なる色が付されている。具体的には、尖り緩和部６０は、例えば、グレーがかった透明になっていて、尖り部５０は、例えば、金色になっている。このように、本実施形態では、尖り部５０と尖り緩和部６０との間で色が異なっているので、尖り部５０と尖り緩和部６０との区別が容易となり、尖り部５０を際立たせることが可能となる。しかも、尖り緩和部６０を透光性とする一方で、尖り部５０を非透光性としたので、遊技者は、尖り部５０の後側を透かして見ることはできないが、尖り緩和部６０の後側を透かして見ることができる。これにより、尖り部５０よりも尖り緩和部６０を目立たなくして、尖り部５０を一層際立たせることが可能となる。
【００４２】
なお、第２装飾部４４の中間円弧部５５については、尖り部５０と同様に非透光性であってもよいし、透光性であってもよい。また、中間連絡部５５の一部が透光性であってもよい。また、第１装飾部４３のうち尖り緩和部６０を除いた部分、即ち、Ｃ字の中間部についても、非透光性であっても透光性であってもよく、一部が透光性であってもよい。
【００４３】
また、図１２（Ｂ）に示すように、尖り部５０と重ね合わさる尖り緩和部６０の重ね合わせ面６１Ｍは、先端が後側を向くように傾斜している。従って、第１装着部４３に第２装着部４４が装着されると、尖り緩和部６０に重ね合わされた尖り部５０は、先端に向かうに従って遊技者から離れる。これにより、尖り部５０の先端を細く見せて、尖り度合いを大きく見せることが可能となる。
【００４４】
図１０（Ａ）に示すように、尖り緩和部６０の先端部は、尖り部５０より表示枠体４０（図５参照）の内側に配置され、尖り緩和部６０の先端部の尖り度合いは、尖り部５０の尖り度合いよりも軽減されている。具体的には、図１４に拡大して示すように、尖り緩和部６０の先端は、角が取られて、円弧状に丸められている。
【００４５】
また、図１３に示すように、尖り緩和部６０の外縁部には、尖り部５０との重ね合わせ面６１Ｍよりも前方に突出した膨出部６３が備えられ、尖り部５０は、上述した位置決め突部５２及び位置決め孔６２に加えて、膨出部６３によっても、尖り緩和部６０に位置決めされている。そして、装飾部材４２Ａが表示枠体４０に装着されたときに下側に配置される尖り部５０（図１３では、左側の尖り部５０）は、膨出部６３にて突出方向の先方が視認可能に覆われている。
【００４６】
本実施形態のパチンコ遊技機１０の構成に関する説明は以上である。次に、パチンコ遊技機１０の作用効果について説明する。
【００４７】
本実施形態のパチンコ遊技機１０では、表示装飾枠２３の交換やメンテナンス等する際に、作業者９０が表示装飾枠２３（表示枠体４０）の枠部分を掴んで持ち運び等することがある（図３参照。同図には、作業者の手が２点鎖線で示されている。）。このとき、作業者９０が表示装飾枠２３の右側辺部を掴むと、内側に突出した尖り部５０で怪我をする虞がある（図１５参照）。
【００４８】
しかしながら、本実施形態のパチンコ遊技機１０では、第１装飾部４３の尖り緩和部６０が、尖り部５０に沿って延び、その外縁部が尖り部５０を縁取っているので、作業者９０が表示装飾枠２３（表示枠体４０）の枠部分を掴んだとき、尖り部５０よりも先に尖り緩和部６０と接触する（図１５参照）。そして、尖り緩和部６０の先端の尖り度合いは、尖り部５０の尖り度合いよりも軽減されているので、作業者９０の怪我を抑えることが可能となる。また、尖り緩和部６０は、尖り部５０に沿って延びて、外縁部が尖り部５０を視認可能に縁取るように配置されているので、尖り緩和部６０によって尖り部５０の意匠性が損なわれることが抑えられる。これにより、尖り部５０の意匠性を保ちつつ、尖り部５０による作業者９０の怪我を抑えることが可能となる。
【００４９】
しかも、本実施形態では、尖り緩和部６０の先端が丸められているので（図１４参照）、作業者の怪我を一層抑えることが可能となる。さらに、尖り部５２は、位置決め突部５２と位置決め孔６２とによって、尖り緩和部６０に位置決めされているので、尖り部５０が尖り緩和部６０からずれることがなくなり、作業者９０が尖り緩和部６０より先に尖り部５０と接触することが抑えられる。また、装飾部材４２Ａの下側の尖り部５０については、尖り緩和部６０の外縁部が前方（遊技者側）に突出して尖り部５０の先方を覆っているので、尖り部５０との接触による作業者９０の怪我を一層抑えることが可能となる。
【００５０】
また、本実施形態では、尖り部５０と尖り緩和部６０との間で色を異ならせたので、尖り部５０を際立たせることが可能となる。しかも、尖り緩和部６０を透光性とし、尖り部５０を非透光性としたので、尖り緩和部６０を目立たなくして尖り部５０をより際立たせることが可能となる。これらにより、尖り緩和部６０が尖り部５０を縁取っていても尖り部５０が一層視認可能となり、尖り部５０の意匠性を保つことができる。
【００５１】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【００５２】
（１）上記実施形態では、本発明をパチンコ遊技機に適用した例を示したが、スロットマシンやアレンジボール等に適用してもよい。
【００５３】
（２）上記実施形態では、本発明の「装飾部材」の例として、Ｃ字形のものを示したが、表示枠体４０の内側に突出して先細りになった尖り部を有していれば、これに限られるものではない。このような「装飾部材」の具体例として、剣や槍を模したものや動物の角や牙を模したものが挙げられる。
【００５４】
（３）上記実施形態では、表示枠体４０の右側辺部に装着される装飾部材４２Ａについて本発明を適用した例を示したが、作業者が怪我をする虞があれば、表示枠体４０の他の辺部に装着されて「尖り部」を有した他の装飾部材４２（例えば、装飾部材４２Ｂ〜４２Ｄ）についても、本発明を適用してもよい。
【００５５】
（４）上記実施形態では、尖り部５０が非透光性であったが、透光性であってもよい。具体的には、尖り緩和部６０を無色透明とし、尖り部５０を有色透明としてもよい。
【００５６】
（５）上記実施形態では、尖り緩和部６０が透光性であったが、非透光性であってもよい。具体的には、尖り緩和部６０を暗色系の色（例えば、黒、ダークグレー、濃紺等）とし、尖り部５０を明色系の色（例えば、白、ピンク、黄等）としてもよい。
【００５７】
（６）上記実施形態において、尖り緩和部６０に膨出部６３を備えない構成としてもよい。このような構成としても、上記実施形態と同様の効果を奏することができる。
【００５８】
（７）上記実施形態では、第１装着部４３が表示枠体４０に前面に前方から重ねて装着される構成であったが、表示枠体４０の内側面に内側から重ねて装着される構成であってもよい。
【符号の説明】
【００５９】
１０    パチンコ遊技機
１１    遊技盤
３０    図柄表示装置
４０    表示枠体
４１    装着孔（装着部）
４２    装飾部材
４３    第１装飾部
４４    第２装飾部
５０    尖り部
５１    線状溝
５２    位置決め突部
６０    尖り緩和部
６２    位置決め孔
【要約】
【課題】尖り部の意匠性を保ちつつ、尖り部による作業者の怪我を抑えることが可能な遊技機の提供を目的とする。
【解決手段】
本発明のパチンコ遊技機１０では、図柄表示装置３０を取り囲む表示枠体４０に装着される装飾部材４２Ａが、表示枠体４０に装着される第１装飾部４３と、第１装飾部４３の前面に重ねて装着され、表示枠体４０の内側に突出して先細りになった尖り部５０を有する第２装飾部４４とで構成されている。そして、第１装着部４３には、尖り部５０に沿って延びて、外縁部が尖り部５０を視認可能に縁取るように配置されると共に、先端の尖り度合いが尖り部５０の尖り度合いより軽減された尖り緩和部６０が備えられている。
【選択図】図１５【図１】
0005390009.tif 000002
【図２】
0005390009.tif 000003
【図３】
0005390009.tif 000004
【図４】
0005390009.tif 000005
【図５】
0005390009.tif 000006
【図６】
0005390009.tif 000007
【図７】
0005390009.tif 000008
【図８】
0005390009.tif 000009
【図９】
0005390009.tif 000010
【図１０】
0005390009.tif 000011
【図１１】
0005390009.tif 000012
【図１２】
0005390009.tif 000013
【図１３】
0005390009.tif 000014
【図１４】
0005390009.tif 000015
【図１５】
0005390009.tif 000016